(57)【要約】【課題】複数のネイルチップ用デザインから好みのデザインを容易に選択する。【解決手段】複数のデザインを表示装置１３４の画面３０９に表示させるデザイン表示部と、片手の全てに対応するネイルチップ画像３００を一列に並べた第一ネイルチップ画像列３０１、第一アイコン３０３４を対応する向きに表示させるプレビュー表示部１３６と、表示されたデザインの中から選択された選択デザインを第一ネイルチップ画像列３０１のネイルチップ画像３００の少なくとも一つに反映させる反映部１３７と、第一ネイルチップ画像列３０１、第一アイコン３０３を主観的状態と客観的状態とで交互に提示できるように切り替える切替部１３９とを備える。【選択図】図２
2014006738.tif 000002
【特許請求の範囲】
【請求項１】
ネイルチップ用の複数のデザインを表示装置の画面に表示させるデザイン表示ステップと、
左右一方の手の全ての指の爪にそれぞれ対応する個々のネイルチップの画像であるネイルチップ画像を前記一方の手指の並びと同じ順に一列に並べた像を第一ネイルチップ画像列として前記画面に表示させ、さらに、前記第一ネイルチップ画像列の側方に前記ネイルチップ画像列の個々のネイルチップ画像の表示順に対応するように手指が現される前記一方の手の甲側を示す第一アイコンを表示させるプレビュー表示ステップと、
操作者の操作に基づき、前記デザイン表示ステップにより表示されたデザインの中から選択された選択デザインを前記プレビュー表示ステップにより表示される前記第一ネイルチップ画像列内のネイルチップ画像の少なくとも一つに反映させる反映ステップと、
前記プレビュー表示ステップにより表示される前記第一ネイルチップ画像列、および、前記第一アイコン、をネイルチップの使用者側の視点で表示させる主観的状態と、他人側の視点で表示させる客観的状態とを操作者の操作に基づき切り替える切替ステップと
をコンピュータに実行させるネイルチップデザイン作成プログラム。
【請求項２】
前記プレビュー表示ステップではさらに、他方の手の全ての指の爪にそれぞれ対応する個々のネイルチップの画像であるネイルチップ画像を前記他方の手指の並びと同じ順に一列に並べた像を第二ネイルチップ画像列として前記画面に表示させ、さらに、前記第二ネイルチップ画像列の側方に前記第二ネイルチップ画像列の個々のネイルチップ画像の表示順に対応するように手指が現される前記他方の手の甲側を示す第二アイコンを表示させ、
前記反映ステップでは、操作者の操作に基づき、前記デザイン表示ステップにより表示されたデザインの中から選択された選択デザインを前記プレビュー表示ステップにより表示される前記第一ネイルチップ画像列、および、前記第二ネイルチップ画像列内のネイルチップ画像の少なくとも一つに反映させ、
前記切替ステップでは、前記プレビュー表示ステップにより表示される前記第一ネイルチップ画像列、前記第一アイコン、前記第二ネイルチップ画像列、および、前記第二アイコンをネイルチップの使用者側の視点で表示させる主観的状態と、他人側の視点で表示させる客観的状態とを操作者の操作に基づき切り替える
請求項１に記載のネイルチップデザイン作成プログラム。
【請求項３】
さらに、
前記デザイン表示ステップにおいて、五指分のデザインを一列に並べたデザイン群を前記プレビュー表示ステップにより表示される前記第一ネイルチップ画像列、または、前記第二ネイルチップ画像列内のネイルチップ画像の列の方向、または、列の方向に直交する方向にスクロールさせるスクロールステップ
を備える請求項１または２に記載のネイルチップデザイン作成プログラム。
【請求項４】
さらに、
使用者の爪の立体的な表面形状の情報である立体形状情報を取得する形状情報取得ステップを備え、
前記反映ステップでは、前記プレビュー表示ステップにより表示される前記第一ネイルチップ画像列、または、前記第二ネイルチップ画像列内のネイルチップ画像の少なくとも一つに前記立体形状情報を反映させる
請求項１または２に記載のネイルチップデザイン作成プログラム。
【請求項５】
前記デザインはネイルチップの表面から突出する突出形状を含み、
前記プレビュー表示ステップでは、前記突出形状の突出状態を看取できるように前記第一ネイルチップ画像列、または、前記第二ネイルチップ画像列内のネイルチップ画像を表示させる
請求項１または２に記載のネイルチップデザイン作成プログラム。
【請求項６】
画像を表示する表示装置と、
操作者の操作を受け付ける入力装置と、
ネイルチップ用の複数のデザインを前記表示装置の画面に表示させるデザイン表示部と、
左右一方の手の全ての指の爪にそれぞれ対応する個々のネイルチップの画像であるネイルチップ画像を前記一方の手指の並びと同じ順に一列に並べた像を第一ネイルチップ画像列として前記画面に表示させ、さらに、前記第一ネイルチップ画像列の側方に前記ネイルチップ画像列の個々のネイルチップ画像の表示順に対応するように手指が現される前記一方の手の甲側を示す第一アイコンを表示させるプレビュー表示部と、
操作者の操作に基づき、前記デザイン表示部により表示されたデザインの中から選択された選択デザインを前記プレビュー表示部により表示される前記第一ネイルチップ画像列内のネイルチップ画像の少なくとも一つに反映させる反映部と、
前記プレビュー表示部により表示される前記第一ネイルチップ画像列、および、前記第一アイコン、をネイルチップの使用者側の視点で表示させる主観的状態と、他人側の視点で表示させる客観的状態とを操作者の操作に基づき切り替える切替部と
を備えるネイルチップデザイン作成装置。
【請求項７】
前記プレビュー表示部はさらに、他方の手の全ての指の爪にそれぞれ対応する個々のネイルチップの画像であるネイルチップ画像を前記他方の手指の並びと同じ順に一列に並べた像を第二ネイルチップ画像列として前記画面に表示させ、さらに、前記第二ネイルチップ画像列の側方に前記第二ネイルチップ画像列の個々のネイルチップ画像の表示順に対応するように手指が現される前記他方の手の甲側を示す第二アイコンを表示させ、
前記反映部は、操作者の操作に基づき、前記デザイン表示部により表示されたデザインの中から選択された選択デザインを前記プレビュー表示部により表示される前記第一ネイルチップ画像列、および、前記第二ネイルチップ画像列内のネイルチップ画像の少なくとも一つに反映させ、
前記切替部では、前記プレビュー表示部により表示される前記第一ネイルチップ画像列、前記第一アイコン、前記第二ネイルチップ画像列、および、前記第二アイコンをネイルチップの使用者側の視点で表示させる主観的状態と、他人側の視点で表示させる客観的状態とを操作者の操作に基づき切り替える
請求項６に記載のネイルチップデザイン作成装置。
【発明の詳細な説明】
【技術分野】
【０００１】
本願発明は、爪に貼り付けて手などを装飾するいわゆるネイルチップであって、使用者の好みのデザインが付されたネイルチップの製造に供するデザインを作成するネイルチップデザイン作成プログラム、および、ネイルチップデザイン作成装置に関する。
【背景技術】
【０００２】
近年、好みのデザインが付されたネイルチップを使用者の手指の爪に貼り付けて装飾することが広く行われている。従前は、ネイルサロン等と称される店舗において専門の技能を有する者によって手作業にてネイルチップが使用者の手指の爪に取り付けられ、筆などによって花などをあしらったデザインが手作業によって付されていた。
【０００３】
しかしながら、ネイルチップを手作業で取り付けてデザインを付する場合、相当の時間が必要となり、また、十分な費用が必要となるため、デザインが異なるネイルチップを頻繁に変更しておしゃれを楽しむことは容易ではなかった。
【０００４】
上記課題に鑑み、機械的に爪に装飾を施す技術が従来種々提案されている。
【０００５】
例えば、特許文献１に記載の技術は、ネイルチップ用の複数のデザインを画面に表示し、操作者が画面から任意に選択したデザインを人間の爪に直接印刷する技術が記載されている。
【０００６】
また、特許文献２には、選択されたデザインを使用者の指の画像と合成して使用者側の視点から表示したり、デザインが合成された使用者の指と手と顔とを合成した他人から見た状態のネイルチップの状態を表示したりする技術が記載されている。
【先行技術文献】
【特許文献】
【０００７】
【特許文献１】特開２００１−２５３１号公報
【特許文献２】特開２０００−３０１７７８号公報
【発明の概要】
【発明が解決しようとする課題】
【０００８】
ところが、特許文献１に記載の技術では、ネイルチップのデザインを選択することはできるものの、デザインを施したネイルチップを十指に取り付けた場合の総合的なネイルチップ全体のデザインを直感的に看取することはできない。一方、特許文献２に記載の技術では、選択したデザインのネイルチップを装着した際の色及び絵柄の見栄えや、使用者のフェイスメークとの相性も含めた全体的な出来映えを直感的に看取することはできるが、複数のデザインから気に入ったデザインを選択する度に、五指、あるいは、十指での全体的な出来映えと比較し看取することは困難であり、総合的なネイルチップ全体のデザインを直感的に看取することはできず、操作者の好みに最も合致した総合的なネイルチップのデザインを探すことは困難である。
【０００９】
本願発明は、上記課題に鑑みなされたものであり、ネイルチップのデザインを選択した際に、複数の指の全体の総合的なネイルチップのデザインのイメージを容易に把握することができ、操作者の好みに合致したネイルチップのデザインを容易に探索することができるネイルチップデザイン作成プログラム、および、ネイルチップデザイン作成装置の提供を目的とする。
【課題を解決するための手段】
【００１０】
上記目的を達成するために、本願発明にかかるネイルチップデザイン作成プログラムは、ネイルチップ用の複数のデザインを表示装置の画面に表示させるデザイン表示ステップと、左右一方の手の全ての指の爪にそれぞれ対応する個々のネイルチップの画像であるネイルチップ画像を前記一方の手指の並びと同じ順に一列に並べた像を第一ネイルチップ画像列として前記画面に表示させ、さらに、前記第一ネイルチップ画像列の側方に前記ネイルチップ画像列の個々のネイルチップ画像の表示順に対応するように手指が現される前記一方の手の甲側を示す第一アイコンを表示させるプレビュー表示ステップと、操作者の操作に基づき、前記デザイン表示ステップにより表示されたデザインの中から選択された選択デザインを前記プレビュー表示ステップにより表示される前記第一ネイルチップ画像列内のネイルチップ画像の少なくとも一つに反映させる反映ステップと、前記プレビュー表示ステップにより表示される前記第一ネイルチップ画像列、および、前記第一アイコン、をネイルチップの使用者側の視点で表示させる主観的状態と、他人側の視点で表示させる客観的状態とを操作者の操作に基づき切り替える切替ステップとをコンピュータに実行させることを特徴としている。
【００１１】
これによれば、選択されたデザインのネイルチップを実際に取り付けたイメージの指先の方向に対して客観的状態、および、主観的状態で容易に、かつ、少なくとも片手分全体にわたって一度に把握することが可能となる。従って、複数あるデザインから片手分全体にわたってネイルチップが取り付けられた場合の好みのデザインを容易に選択することができ、デザイン選択時の操作における興趣製を向上させることが可能となる。
【００１２】
また、前記プレビュー表示ステップではさらに、他方の手の全ての指の爪にそれぞれ対応する個々のネイルチップの画像であるネイルチップ画像を前記他方の手指の並びと同じ順に一列に並べた像を第二ネイルチップ画像列として前記画面に表示させ、さらに、前記第二ネイルチップ画像列の側方に前記第二ネイルチップ画像列の個々のネイルチップ画像の表示順に対応するように手指が現される前記他方の手の甲側を示す第二アイコンを表示させ、前記反映ステップでは、操作者の操作に基づき、前記デザイン表示ステップにより表示されたデザインの中から選択された選択デザインを前記プレビュー表示ステップにより表示される前記第一ネイルチップ画像列、および、前記第二ネイルチップ画像列内のネイルチップ画像の少なくとも一つに反映させ、前記切替ステップでは、前記プレビュー表示ステップにより表示される前記第一ネイルチップ画像列、前記第一アイコン、前記第二ネイルチップ画像列、および、前記第二アイコンをネイルチップの使用者側の視点で表示させる主観的状態と、他人側の視点で表示させる客観的状態とを操作者の操作に基づき切り替えてもよい。
【００１３】
これによれば、選択されたデザインのネイルチップを実際に取り付けた状態を客観的状態、および、主観的状態で容易に、かつ、十指分全体にわたって一度に把握することが可能となる。従って、複数あるデザインから十指分全体にわたってネイルチップが取り付けられた場合の好みのデザインを容易に選択することができ、デザイン選択時の操作における興趣製をさらに向上させることが可能となる。
【００１４】
さらに、前記デザイン表示ステップにおいて、五指分のデザインを一列に並べたデザイン群を前記プレビュー表示ステップにより表示される前記第一ネイルチップ画像列、または、前記第二ネイルチップ画像列内のネイルチップ画像の列の方向、または、列の方向に直交する方向にスクロールさせるスクロールステップをコンピュータに実行させてもよい。
【００１５】
これによれば、できる限り多くのデザイン群を画面上に表示し、操作者が複数のデザイン群を比較しつつ選択することができ、操作者を補助することが可能となる。
【００１６】
さらに、使用者の爪の立体的な表面形状の情報である立体形状情報を取得する形状情報取得ステップを備え、前記反映ステップでは、前記プレビュー表示ステップにより表示される前記第一ネイルチップ画像列、または、前記第二ネイルチップ画像列内のネイルチップ画像の少なくとも一つに前記立体形状情報を反映させるものでもよい。
【００１７】
これによれば、選択されたデザインのネイルチップを実際に取り付けた状態をよりリアルに把握することが可能となる。従って、複数あるネイルチップのデザインから好みのデザインを容易に選択することができる。
【００１８】
また、前記デザインはネイルチップの表面から突出する突出形状を含み、前記プレビュー表示ステップでは、前記突出形状の突出状態を看取できるように前記第一ネイルチップ画像列、または、前記第二ネイルチップ画像列内のネイルチップ画像を表示させるものでもかまわない。
【００１９】
これによれば、見る角度によってイメージが変わる立体形状を視覚的に提示することができ、選択されたデザインのネイルチップを実際に取り付けた状態をよりリアルに把握することが可能となる。従って、複数あるデザインから好みのデザインを容易に選択することができる。
【００２０】
また、上記目的を達成するために、本願発明に係るネイルチップデザイン作成装置は、画像を表示する表示装置と、操作者の操作を受け付ける入力装置と、ネイルチップ用の複数のデザインを前記表示装置の画面に表示させるデザイン表示部と、左右一方の手の全ての指の爪にそれぞれ対応する個々のネイルチップの画像であるネイルチップ画像を前記一方の手指の並びと同じ順に一列に並べた像を第一ネイルチップ画像列として前記画面に表示させ、さらに、前記第一ネイルチップ画像列の側方に前記ネイルチップ画像列の個々のネイルチップ画像の表示順に対応するように手指が現される前記一方の手の甲側を示す第一アイコンを表示させるプレビュー表示部と、操作者の操作に基づき、前記デザイン表示部により表示されたデザインの中から選択された選択デザインを前記プレビュー表示部により表示される前記第一ネイルチップ画像列内のネイルチップ画像の少なくとも一つに反映させる反映部と、前記プレビュー表示部により表示される前記第一ネイルチップ画像列、および、前記第一アイコン、をネイルチップの使用者側の視点で表示させる主観的状態と、他人側の視点で表示させる客観的状態とを操作者の操作に基づき切り替える切替部とを備えることを特徴としている。
【００２１】
前記プレビュー表示部はさらに、他方の手の全ての指の爪にそれぞれ対応する個々のネイルチップの画像であるネイルチップ画像を前記他方の手指の並びと同じ順に一列に並べた像を第二ネイルチップ画像列として前記画面に表示させ、さらに、前記第二ネイルチップ画像列の側方に前記第二ネイルチップ画像列の個々のネイルチップ画像の表示順に対応するように手指が現される前記他方の手の甲側を示す第二アイコンを表示させ、前記反映部は、操作者の操作に基づき、前記デザイン表示部により表示されたデザインの中から選択された選択デザインを前記プレビュー表示部により表示される前記第一ネイルチップ画像列、および、前記第二ネイルチップ画像列内のネイルチップ画像の少なくとも一つに反映させ、前記切替部では、前記プレビュー表示部により表示される前記第一ネイルチップ画像列、前記第一アイコン、前記第二ネイルチップ画像列、および、前記第二アイコンをネイルチップの使用者側の視点で表示させる主観的状態と、他人側の視点で表示させる客観的状態とを操作者の操作に基づき切り替えてもよい。
【００２２】
これによれば、選択されたデザインのネイルチップを実際に取り付けたイメージの指先の方向に対して客観的状態、および、主観的状態で容易に把握することが可能となる。従って、複数あるデザインから好みのデザインを容易に選択することができ、デザイン選択時の操作における興趣製を向上させることが可能となる。
【００２３】
なお、前記ネイルチップデザイン作成プログラムが記録された記録媒体を実施することも本願発明の実施に該当する。
【発明の効果】
【００２４】
本願発明によれば、操作者の好みに合致したネイルチップのデザインを容易に選択することが可能となり、ネイルチップのデザインの選択操作における興趣製を向上させることが可能となる。
【図面の簡単な説明】
【００２５】
【図１】図１は、ネイルチップ製造システムの機能構成を装置構成と共に示す図である。
【図２】図２は、表示装置の具体的な態様（客観的状態）を示す図である。
【図３】図３は、表示装置の具体的な態様（主観的状態）を示す図である。
【図４】図４は、立体形状情報が反映された客観的状態のネイルチップ画像を示す図である。
【図５】図５は、立体形状情報が反映された主観的状態のネイルチップ画像を示す図である。
【図６】図６は、位相シフト法により立体形状を測定する形状測定装置の要部を示す斜視図である。
【図７】図７は、ネイルチップ製造装置を模式的に示す斜視図である。
【図８】図８は、ネイルチップ製造装置のヘッドが備える装置を模式的に示す図である。
【図９】図９は、シートの断面を示す側面図である。
【図１０】図１０は、ネイルチップ製造装置で製造されたネイルチップを示す図である。
【図１１】図１１は、店舗設置型のネイルチップデザイン作成装置を模式的に示す斜視図である。
【図１２】図１２は、表示装置の具体的な別態様（客観的状態）を示す図である。
【発明を実施するための形態】
【００２６】
次に、本願発明に係るネイルチップデザイン作成プログラム、または、ネイルチップデザイン作成装置を備えたネイルチップ製造システムの実施の形態について、図面を参照しつつ説明する。なお、以下の実施の形態は、本願発明に係るネイルチップデザイン作成プログラム、および、ネイルチップデザイン作成装置の一例を示したものに過ぎない。従って本願発明は、以下の実施の形態を参考に請求の範囲の文言によって範囲が画定されるものであり、以下の実施の形態のシステムに適用されることに限定されるものではない。
【００２７】
図１は、ネイルチップ製造システムの機能構成を装置構成と共に示す図である。
【００２８】
同図に示すように、ネイルチップ製造システム１００は、ネイルチップ２０２を製造するシステムであって、ネイルチップデザイン作成装置１０３と、形状測定装置１０２と、ネイルチップ製造装置１０１とを備えている。本実施の形態の場合、ネイルチップ製造システム１００は、複数のネイルチップデザイン作成装置１０３を備えている。
【００２９】
ネイルチップデザイン作成装置１０３は、ネイルチップの複数のデザインから、一つまたは複数のデザインを選択し、ネイルチップ用のデザインを作成する装置であって、表示装置１３４と、入力装置１３５と、デザイン表示部１３２と、プレビュー表示部１３６と、反映部１３７と、切替部１３９とを備えている。また、本実施の形態の場合、ネイルチップデザイン作成装置１０３は、スクロール部１３８と、形状情報取得部１３１と、デザイン情報出力部１３３とを備えている。
【００３０】
表示装置１３４は、液晶ディスプレイや有機ＥＬディスプレイのような画像を表示することのできる装置である。本実施の形態の場合、表示装置１３４は、図２に示すように、１０インチ程度の画面を備えるタブレット型コンピュータの構成要素として機能するものである。なお、表示装置１３４は、特に限定されるものではない。例えば、テレビ受像器やコンピュータ用のモニタでもよく、スマートフォンや携帯電話に搭載される３インチや７インチの表示装置でも良い。
【００３１】
入力装置１３５は、操作者の操作を受け付ける装置である。本実施の形態の場合、入力装置１３５は、表示装置１３４の画面上に配置され、指などが接触した位置を検出することにより位置情報をコンピュータに送信することのできるいわゆるタッチパネルである。なお、入力装置１３５は、マウスやキーボード（ソフトウエアキーボードを含む）などのマンマシンインターフェースであってもかまわない。また、複数のマンマシンインターフェースを組み合わせたものでもよい。
【００３２】
デザイン表示部１３２は、ネイルチップ用の複数のデザインを表示装置１３４の画面３０９に表示させる処理部であり、コンピュータに実行させることにより前記処理を実現することができるプログラムである。本実施の形態の場合、デザイン表示部１３２は、片手（五指）の全ての爪に対応するネイルチップ用の統一されたデザイン（例えば図２中のデザインＣで示す）を表示装置１３４の画面３０９に一列に並べてデザイン群として表示させており、さらに、その他のデザインＤ、デザインＥ、デザインＦ等も同様にネイルチップの列状に並ぶデザイン群として画面３０９の群デザイン選択部Ｊに表示させている。なお、デザインＡ、デザインＢ、デザインＧ、デザインＨは、スクロールの関係上、一部のみを表示させている。
【００３３】
なお、本明細書、および、特許請求の範囲において、一列（列状）とは、直線状に並んだ場合ばかりでなく、ある程度湾曲した線に沿って並べて配置したような場合でも一列（列状）に含まれる。
【００３４】
以上のように、デザイン表示部１３２が、片手分のネイルチップのデザインを一群として画面３０９の群デザイン選択部Ｊに提示することにより、操作者がネイルチップの総合的なデザインをイメージし易くなる。特に、片手分のネイルチップのデザインを並べることによって一つの絵が完成するようなデザインである場合や、片手分のデザインが観念的に統一されるがそれぞれが異なるデザイン、例えば、「犬」として観念が統一されているが、指毎に異なる犬種を示すデザインであった場合や、「花」として観念が統一されているが、指毎に異なる花種を示すデザインであった場合などに有効である。
【００３５】
プレビュー表示部１３６は、両手の全ての指の爪にそれぞれ対応するネイルチップの画像であるネイルチップ画像３００を一列に並べてネイルチップ画像列とし、デザイン表示部１３２がデザインを表示させる画面３０９のプレビュー列状表示部Ｋに表示させ、さらに、表示された一方の手（本実施の形態の場合、右手）のネイルチップ画像３００の列に対応する第一ネイルチップ画像列３０１と他方の手（本実施の形態の場合、左手）のネイルチップ画像３００の列に対応する第二ネイルチップ画像列３０２との間で、第一ネイルチップ画像列３０１が表示されている側に、第一ネイルチップ画像列３０１の指先の表示方向に対応する向きに一方の手の甲側を示す第一アイコン３０３を表示させ、第二ネイルチップ画像列３０２が表示されている側に、第二ネイルチップ画像列３０２の指先の表示方向に対応する向きに他方の手の甲側を示す第二アイコン３０４を表示させる処理部であり、コンピュータに実行させることにより前記処理を実現することができるプログラムである。
【００３６】
本実施の形態の場合、プレビュー表示部１３６は、次に記載する並びの順序でネイルチップ画像３００を画面３０９のプレビュー列状表示部Ｋに列状に表示させている。第一ネイルチップ画像列として、一方の手第五指用のネイルチップ画像である第一五像３１５、一方の手第四指用のネイルチップ画像である第一四像３１４、一方の手第三指用のネイルチップ画像である第一三像３１３、一方の手第二指用のネイルチップ画像である第一二像３１２、一方の手第一指用のネイルチップ画像である第一一像３１１や、第二ネイルチップ画像列３０２として、他方の手第一指用のネイルチップ画像である第二一像３２１、他方の手第二指用のネイルチップ画像である第二二像３２２、他方の手第三指用のネイルチップ画像である第二三像３２３、他方の手第四指用のネイルチップ画像である第二四像３２４、他方の手第五指用のネイルチップ画像である第二五像３２５。
【００３７】
さらに、プレビュー表示部１３６は、第一一像３１１と第二一像３２１との間において、第一一像３１１側に、第一アイコン３０３を表示させ、第二一像３２１側に、第二アイコン３０４を表示させている。
【００３８】
反映部１３７は、入力装置１３５への操作者の操作に基づき、デザイン表示部１３２により表示された群デザイン選択部Ｊのネイルチップデザイン群の各デザインの中から選択された選択デザインをプレビュー表示部１３６によりプレビュー列状表示部Ｋに列状に表示される第一ネイルチップ画像列３０１や第二ネイルチップ画像列３０２のネイルチップ画像３００の少なくとも一つに反映させる処理部であり、コンピュータに実行させることにより前記処理を実現することができるプログラムである。本実施の形態の場合、反映部１３７は、たとえば、選択デザインＣ（図２に示す場合）を第一ネイルチップ画像列３０１のネイルチップ画像３００に反映させている。また、デザインを第一ネイルチップ画像列３０１、または、第二ネイルチップ画像列３０２に含まれるネイルチップ画像３００に反映させる操作は任意であるが、例えば、操作者が、デザイン表示部１３２が表示させた群デザイン選択部Ｊのデザイン群の中のデザインＣをプレビュー表示部１３６がプレビュー列状表示部Ｋに表示させた第一ネイルチップ画像列３０１までドラッグアンドドロップする操作を挙示することができる。また、操作者が、デザインＣが表示されている部分をタップし、図２中の二重丸が表示されている部分をタップし、プレビュー列状表示部Ｋに列状に表示されている任意のネイルチップ画像３００をタップするという操作などによって反映させてもよい。
【００３９】
切替部１３９は、プレビュー表示部１３６によりプレビュー列状表示部Ｋに表示される第一ネイルチップ画像列３０１、および、第二ネイルチップ画像列３０２に含まれるネイルチップ画像３００、および、第一ネイルチップ画像列３０１、および、第二ネイルチップ画像列３０２の指先の方向に対応する向きで表示される第一アイコン３０３、および、第二アイコン３０４を、図３に示すようなネイルチップの使用者側の視点で表示させる主観的状態と、図２に示すような他人側の視点で表示させる客観的状態とを操作者の操作に基づき切り替える処理部であり、コンピュータに実行させることにより前記処理を実現することができるプログラムである。なお、主観的状態と客観的状態とを切り替える操作は任意であるが、例えば、操作者が、プレビュー表示部１３６が表示させた入力装置としての第一アイコン３０３、または、第二アイコン３０４をタッチすることで主観的状態から客観的状態へ、または、客観的状態から主観的状態へ切り替える操作等を挙示することができる。
【００４０】
以上のように、ネイルチップ画像３００を表示する視点を変更することで、操作者が選択したデザインの主観的な状態、および、客観的な状態を十指全体にわたって容易に把握することができる。
【００４１】
また、複数のデザイン、あるいはデザイン群からデザインを選択する度に、五指、あるいは十指での全体的な出来映えと選択されるデザイン、あるいはデザイン群とを同じ画面（視野）上で同時に比較し看取することができ、総合的なネイルチップ全体のデザインを直感的に看取することができる。
【００４２】
スクロール部１３８は、デザイン表示部１３２が表示させるデザインをプレビュー表示部１３６により群デザイン選択部Ｊに表示される五指単位（片手単位）で列状に並ぶデザイン群の第一ネイルチップ画像列３０１、または、第二ネイルチップ画像列３０２のネイルチップ画像３００の並び方向（図２中左右方向）、あるいは列方向に直交する方向にスクロールさせる処理部であり、コンピュータに実行させることにより前記処理を実現することができるプログラムである。なお、デザインをスクロールさせる操作は任意であるが、例えば、操作者が、デザイン表示部１３２が表示させた群デザイン選択部Ｊの列状に並ぶデザイン群を入力装置１３５としてスクロールさせたい方向にフリックすることでスクロールさせる操作を挙示することができる。また、デザイン表示部１３２が表示させたスクロールバー（図示せず）を操作者がドラッグすることによりスクロールさせるという操作などでもよい。特に、デザイン表示部１３２が五指分や十指分のデザインを群デザイン選択部Ｊに一度に表示させる場合、プレビュー表示部１３６によりプレビュー列状表示部Ｋに表示される複数のネイルチップ３００の画像列状に並ぶ第一ネイルチップ画像列３０１や第二ネイルチップ画像列３０２の並び方向と同じ方向に並べることで、デザインの一覧性を向上させることができる。
【００４３】
以上のように、デザイン表示部１３２が列状に並ぶデザイン群を群デザイン選択部Ｊに表示させるデザインを画面３０９内でスクロールさせることにより、できる限り多くのデザインを画面３０９上に表示し、ネイルチップのデザインを操作者が容易に選択できるように補助することが可能となる。
【００４４】
形状情報取得部１３１は、使用者の爪の立体的な表面形状の情報である立体形状情報を取得する処理部であり、コンピュータに実行させることにより前記処理を実現することができるプログラムである。形状情報取得部１３１は、例えば、形状測定装置１０２で得られた立体形状情報をネットワークＮを通じて取得、あるいは、使用者の立体的な爪に対応する表面形状の情報を画面３０９に表示された選択テーブルなどから操作者が選択することにより取得、あるいは、使用者の爪に合う形状番号やバーコードなどの識別情報を操作者が入力してすることにより取得する。
【００４５】
図４は、立体形状情報が反映された客観的状態のネイルチップ画像を示す図である。
【００４６】
図５は、立体形状情報が反映された主観的状態のネイルチップ画像を示す図である。
【００４７】
形状情報取得部１３１が立体形状情報を取得した場合、反映部１３７は、立体形状情報をプレビュー表示部１３６により表示されるネイルチップ画像３００の少なくとも一つに反映させてもよく、さらに、図４、図５に示すように、切替部１３９は、第一アイコン３０３、または、第二アイコン３０４がタッチされるなどの操作により立体形状情報を反映させた主観的状態のネイルチップ画像３００と客観的状態のネイルチップ画像３００とを切り替えてもよい。なお、図４、図５に示される列状に並ぶネイルチップ画像３００は、全てのネイルチップ画像３００に立体形状情報が反映されている。
【００４８】
これにより、デザイン表示部１３２が表示させる画一的な形状に基づくデザインが使用者の爪の大きさや曲率などにマッチングされた状態で単体や複数のネイルチップ画像３００として表示されるため、選択されたデザインが使用者に似合っているか否かをより直感的に把握することができる。また、ネイルチップの表面から突出する突出形状の突出状態を把握することができる。
【００４９】
デザイン情報出力部１３３は、プレビュー表示部１３６により表示されたネイルチップ画像３００に対応するデザイン情報を出力する処理部であり、コンピュータに実行させることにより前記処理を実現することができるプログラムである。
【００５０】
なお、デザイン情報出力部１３３がデザイン情報を出力する出力先は、インターネットやＬＡＮなどのネットワークＮに接続されるサーバやコンピュータなどでもよい。また、デザイン情報出力部１３３のデザイン情報の出力先はメモリカードなどの可搬型の記憶媒体などでもよい。より具体的には、使用者が保持する携帯電話やスマートフォンが備える記憶媒体にデザイン情報を出力するデザイン情報出力部１３３を例示することができる。
【００５１】
形状測定装置１０２は、使用者の爪の立体形状を測定し、立体形状情報を作成する装置であって、形状測定部１２１と、爪情報出力部１２３とを備えている。
【００５２】
形状測定部１２１は、ネイルチップを使用する使用者の爪の立体的な表面形状を測定して立体形状情報を作成する処理部である。
【００５３】
爪の立体的な表面形状を測定する装置としては、特に限定されるものでは無いが、細いプローブの先端を爪の表面に接触させ、プローブを移動させながらプローブの進退距離を測定して爪の立体的な表面形状を機械的に測定する機械式の装置や、レーザー光線等の出射光と反射光とを用いて距離を測定する装置を用いて爪に対してスキャンし、爪の立体的な表面形状を光学的に測定する光学式の装置、その他光切断法を用いた光学式の装置、簡易的に爪の立体的な要部の寸法を測定する測定治具などが例示できる。本実施の形態の場合、位相シフト法により爪の立体的な形状を測定する装置が形状測定装置１０２として採用されている。
【００５４】
図６は、位相シフト法により立体形状を測定する形状測定装置の要部を示す斜視図である。
【００５５】
位相シフト法とは次の様な測定方法である。正弦波など周期的に照度の異なる縞模様の輝度変化光を測定対象物である爪およびその周辺に対し照射手段１２４を用いて斜めから照射する。当該光は、同図中Ｘ軸方向には照度が揃い、Ｙ軸方向に照度が周期的に変化するものである。そして、縞模様の光が照射された爪などの像を正面（Ｚ軸方向）から撮像手段１２５を用いて撮像する。測定対象物に対する縞模様の位置をＹ軸方向に少しずつ（例えば１／４波長）相対的にずらして測定対象物の測定される部位である測定部位Ｐに対応する測定対象物の像を複数回（例えば４回）撮像する。得られた複数の像の情報から測定対象物上の同一の測定部位Ｐにおける輝度のデータを形状測定部１２１が抽出し、当該複数のデータに基づき正弦波を形成し、基準の正弦波と形成された正弦波との位相のずれ（位相差）から前記測定部位Ｐの高さを算出する。前記位相のずれの算出を爪全体にわたって走査して行うことで、使用者の爪の立体的な表面形状を示す立体形状情報が作成される。
【００５６】
本実施の形態の場合、形状測定装置１０２は１本の指の爪の立体形状情報を測定するものであるが、指を入れ替えることにより他の指の爪の立体形状を測定することも可能である。なお、形状測定装置１０２は、複数の指（例えば両手の全ての指）の爪を一度に測定するものでもかまわない。この場合、手の甲全体の画像から、画像処理等により爪の立体的な形状だけを抽出してもよい。
【００５７】
爪情報出力部１２３は、形状測定部１２１で測定された立体形状情報を出力する処理部である。本実施の形態の場合、爪情報出力部１２３は、爪情報を識別するための識別子の入力を受け付ける識別子作成手段（図示せず）を備えてもよく、また、乱数などを発生させて識別子を作成する識別子作成手段を備えてもよい。爪情報出力部１２３は、前記識別子作成手段により作成された識別子と爪情報とを紐付けて出力するものとなっている。
【００５８】
なお、爪情報出力部１２３が爪情報を出力する出力先はインターネットやＬＡＮなどのネットワークＮに接続されるサーバやコンピュータなどでもよい。また、爪情報出力部１２３の爪情報の出力先はメモリカードなどの可搬型の記憶媒体などでもよい。より具体的には、使用者が保持する携帯電話やスマートフォンが備える記憶媒体に爪情報を出力する爪情報出力部１２３を例示することができる。
【００５９】
図７は、ネイルチップ製造装置を模式的に示す斜視図である。
【００６０】
図８は、ネイルチップ製造装置のヘッドが備える装置を模式的に示す図である。
【００６１】
同図に示すようにネイルチップ製造装置１０１は、可撓性のある樹脂製のシート２０１上の所望の位置にインクなどの比較的低粘度の塗料、および、硬化性の樹脂などの比較的高粘度の高粘度樹脂を別々に、または、同時に吐出してシート２０１上に平面的なデザインや、ネイルチップ表面から突出した突出形状２２１を含むデザインを形成することができる装置である。また、ネイルチップ製造装置１０１は、シート２０１を切断、または、半切断することができる装置であり、ヘッド１１４と、シート２０１を支持するステージ１１５とを備えている。
【００６２】
ヘッド１１４は、ステージ１１５上に載置されたシート２０１に対し、平行に相対的に移動することができる装置であり、第一のディスペンサである高粘度ディスペンサ１４１と、第二のディスペンサである低粘度ディスペンサ１４２と、カッター１４３と、硬化手段１４４等の各工程ツールとを例えばＸ軸方向に列状（一列、あるいは多列状）に配置して備えている。なお、第一のディスペンサと第二のディスペンサの吐出する樹脂の粘度は互いに異なる粘度である。相対的に高粘度の樹脂を吐出してネイルチップ２０２表面に突出形状２２１を形成し、相対的に低粘度の樹脂を吐出して突出形状２２１の表面を塗装する。
【００６３】
これにより、ネイルチップ製造装置１０１のネイルチップ形成部１１１は、平坦で可撓性のある樹脂製のシート２０１に対して、マッチング情報に基づき互いに異なる粘度の樹脂を吐出させてデザインを形成させ、かつ、シートを切断、または、半切断するようにネイルチップ製造装置１０１を制御することによりネイルチップ２０２が製造される。
【００６４】
本実施の形態の場合、Ｘ軸方向に列状に各工程ツールを有したヘッド１１４は、装置基台１１６に支持されたヘッド移動装置１１７によって主走査方向（図７に示すＸ軸方向）に往復移動する。これにより、ヘッド１１４をヘッド移動装置１１７に対してコンパクトに構成できる。ステージ１１５は、樹脂製のシート２０１を平坦な状態で載置するとともに、静電気や真空吸着や端部の挟持によりシート２０１を保持するテーブルであり、装置基台１１６に支持されたステージ移動装置１１８によって副走査方向（図７に示すＹ軸方向）に往復移動するものとなっている。以上の動作によりヘッド１１４は、ＸＹ平面（シート２０１と平行な面）内を自在に移動することができるものとなっている。
【００６５】
また、ヘッド１１４に備えられた各工程ツールは、Ｙ軸方向に列状に配置してもよい。
【００６６】
なお、ステージ１１５が固定し、ヘッド１１４がＸＹ平面を移動するものでも良く、また、ヘッド１１４が固定で、ステージ１１５がＸＹ平面を移動するものでもよい。
【００６７】
高粘度ディスペンサ１４１は、比較的高粘度（例えば２０ｍＰａ・ｓ以上）の樹脂である高粘度樹脂をネイルチップ２０２の表面、すなわちシート２０１の表面に付着させてデザインに含まれる突出形状を形成する装置である。
【００６８】
高粘度ディスペンサ１４１とは、ノズルから所定量の高粘度樹脂を吐出することができる装置であり、例えば、シリンジに収容される高粘度樹脂をエアーの圧力でノズルから押し出すタイプの装置や、モノーポンプなどのようにシリンジ内の高粘度樹脂を機械的に押し出すタイプの装置などを挙示することができる。本実施の形態の場合、高粘度ディスペンサ１４１として高粘度樹脂に対応したジェットディスペンサが採用されている。なお、ジェットディスペンサとは、液体や高粘度樹脂を液滴として断続的に吐出することのできる装置であり、例えば少量の高粘度樹脂を貯留した貯留室の堆積を圧電素子などを用いて瞬間的に減少させ、発生した圧力によりノズルから少量の高粘度樹脂を液滴として吐出する装置である。
【００６９】
低粘度ディスペンサ１４２は、高粘度ディスペンサ１４１により形成された突出形状２２１の表面に高粘度樹脂に比べて比較的低粘度（例えば２０ｍＰａ・ｓ未満、好ましくは５〜１０ｍＰａ・ｓ以下）の塗料を付着させる装置である。
【００７０】
低粘度ディスペンサ１４２とは、ノズルから所定量の低粘度の塗料（インクなど）を吐出することができる装置であり、本実施の形態の場合、インクジェットなどと称される低粘度ディスペンサ１４２が採用されている。また、低粘度ディスペンサ１４２は、複数色の塗料を独立して吐出してカラー印刷ができるものとなっている。
【００７１】
カッター１４３は、展開情報またはマッチング情報に基づきシート２０１をネイルチップの形状に切断、または、半切断する装置である。ここで、半切断とは、図９に示すように、シート２０１を完全に切断するのではなく、シート２０１の厚み方向の一部に切れ込み２１１（溝）を形成することを言う。当該半切断を行うと、指などによって切れ込み２１１の部分に力を加えると、容易に切れ込み２１１の部分に沿ってシート２０１を破断してネイルチップを取り出すことができる。
【００７２】
なお、シート２０１に対し半切断を行った後、切れ込み２１１の部分に塗料２１２などの液体を低粘度ディスペンサ１４２が吐出することで、ネイルチップ２０２の端面にもデザインを施すことができ、製造されたネイルチップ２０２の商品価値を向上させることが可能となる。
【００７３】
硬化手段１４４は、高粘度ディスペンサ１４１によりネイルチップ２０２の表面、すなわち、シート２０１の表面に付着させた高粘度樹脂の硬化を促進させる装置である。例えば、高粘度樹脂が光硬化性樹脂である場合、硬化手段１４４は、当該高粘度樹脂に対応した光（紫外光など）を照射することができる装置である。また、高粘度樹脂が熱硬化性樹脂である場合、硬化手段１４４は、当該高粘度樹脂に熱を供給することができるヒーターである。
【００７４】
ネイルチップ製造装置１０１は、上記構成によって、ヘッド１１４とステージ１１５上のシート２０１とを相対移動させながら、ヘッド１１４に備えられた高粘度ディスペンサ１４１、および、低粘度ディスペンサ１４２からシート２０１に向かって塗料（インク）や高粘度樹脂などを吐出し、シート２０１上にマッチング情報に基づいた突出形状２２１を含むデザインを形成することができる。また、ヘッド１１４に備えられたカッター１４３によってマッチング情報（展開情報）に基づいた切断、または、半切断を行うことができる。
【００７５】
図１０は、ネイルチップ製造装置で製造されたネイルチップを示す図である。
【００７６】
同図に示すように、ネイルチップ２０２は、平坦なシート２０１にデザインが付され、かつ、切断、または、半切断の状態でネイルチップ製造装置１０１により製造される。
【００７７】
ここで、シート２０１は、ネイルチップ２０２として切り出された後、爪に貼り付ける際に爪の湾曲に柔軟に沿う可撓性（柔軟性）を有し、貼り付けた状態で湾曲が維持されると共に、爪に負担がかからない程度の復元力以下の復元力を有する。
【００７８】
具体的にシート２０１は、ポリプロピレンやポリエチレン、ポリエチレンテレフタレートなどの一般的な樹脂からなり、シート２０１の厚みは、１ｍｍ以下、好ましくは５００μｍ以下、さらに好ましくは３００μｍ以下程度が好ましい。
【００７９】
以上のネイルチップデザイン作成装置１０３によれば、ネイルチップ２０２に付すためのデザインを実際にネイルチップ２０２を使用している状態に近い状態で操作者に提示することができる。従って、操作者が選択したデザインが好みに適しているかどうかを直感的に把握しやすくなり、デザインの選択操作に対する興趣製を向上させることが可能となる。さらに、主観的状態と客観的状態とを切り替えて提示することができるため、前記効果をさらに高めることが可能となる。
【００８０】
また、立体形状情報を反映させたネイルチップ画像３００を提示することで、さらに、ネイルチップ２０２の使用状態を直感的に把握しやすくなり、より興趣製を向上させることができる。
【００８１】
また、以上のネイルチップ製造システム１００は、ネイルチップデザイン作成装置１０３の種々の形態として、例えば、双方向テレビ、パーソナルコンピュータや、スマートフォンやタブレット型のコンピュータなどをネイルチップデザイン作成装置や入出力装置として用いて、外出先や家庭内等のパーソナルな空間でネイルチップ２０２のデザインを選択し、任意のデザインのネイルチップ２０２を宅配便などで入手するビジネスモデルに適用することができる。また、ネイルチップ製造装置１０１を備えたアミューズメント施設に、ネイルチップデザイン作成装置１０３を持ち込み、任意のデザインのネイルチップ２０２を直接入手するビジネスモデルに適用することもできる。
【００８２】
さらに、インターネット上で、ネイルチップのデザインを共有したり、著名人が選択したデザインを入手することもできる。
【００８３】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００８４】
例えば、上記実施の形態では、ネイルチップデザイン作成装置１０３は、タブレット型の端末として説明したが、図１１に示すように、店舗設置型のネイルチップデザイン作成装置１０３であってもかまわない。
【００８５】
また、上記実施の形態では、プレビュー表示部１３６は、プレビュー列状表示部Ｋに両手分のネイルチップ画像３００、すなわち、第一ネイルチップ画像列３０１、および、第二ネイルチップ画像列３０２を表示させたが、本願発明はこれに限定されるわけではなく、プレビュー表示部１３６は、片手分、たとえば図１２に示すように、第一ネイルチップ画像列３０１（または、第二ネイルチップ画像列３０２）をプレビュー列状表示部Ｋに表示させてもかまわない。
【００８６】
また、プレビュー表示部１３６は、五指分のデザインを一列に並べたデザイン群ばかりでなく、図１２の個別デザイン選択部Ｌに示すように、一指分のデザインや、ネイルチップの一部に用いられるデザイン（アイテム）を個別デザインとして表示させてもかまわない。また、画面３０９のデザイン編集部Ｍにネイルチップが拡大表示されたデザイン作成中の画像３０６を表示してもよい。
【００８７】
反映部１３７は、入力装置１３５への操作者の操作に基づき、デザイン表示部１３２により表示された個別デザイン選択部Ｌの各個別デザインを選択してデザイン編集部Ｍにて編集されたデザインをプレビュー表示部１３６によりプレビュー列状表示部Ｋに表示される第一ネイルチップ画像列３０１（または、第二ネイルチップ画像列３０２）のネイルチップ画像３００の少なくとも一つに反映させるものでもよい。
【００８８】
このように、プレビュー表示部１３６がプレビュー列状表示部Ｋに片手分のネイルチップ画像列を表示すると、画面３０９が小型（たとえば４．５インチ以下）であっても、ネイルチップ画像３００の視認性を良好に維持することができる。
【産業上の利用可能性】
【００８９】
本願発明は、アミューズメント施設などに設置されるネイルチップ製造システムに利用可能であり、また、作成したデザインをインターネット等で送信し、当該デザインに基づき製造されたネイルチップを使用者に送付するサービスなどにも利用可能である。
【符号の説明】
【００９０】
１００  ネイルチップ製造システム
１０１  ネイルチップ製造装置
１０２  形状測定装置
１０３  ネイルチップデザイン作成装置
１１１  ネイルチップ形成部
１１４  ヘッド
１１５  ステージ
１１６  装置基台
１１７  ヘッド移動装置
１１８  ステージ移動装置
１２１  形状測定部
１２３  爪情報出力部
１２４  照射手段
１２５  撮像手段
１３１  形状情報取得部
１３２  デザイン表示部
１３３  デザイン情報出力部
１３４  表示装置
１３５  入力装置
１３６  プレビュー表示部
１３７  反映部
１３８  スクロール部
１３９  切替部
１４１  高粘度ディスペンサ
１４２  低粘度ディスペンサ
１４３  カッター
１４４  硬化手段
２０１  シート
２０２  ネイルチップ
２１２  塗料
２２１  突出形状
３００  ネイルチップ画像
３０１  第一ネイルチップ画像列
３０２  第二ネイルチップ画像列
３０３  第一アイコン
３０４  第二アイコン
３０９  画面
【図１】
2014006738.tif 000003
【図２】
2014006738.tif 000004
【図３】
2014006738.tif 000005
【図４】
2014006738.tif 000006
【図５】
2014006738.tif 000007
【図６】
2014006738.tif 000008
【図７】
2014006738.tif 000009
【図８】
2014006738.tif 000010
【図９】
2014006738.tif 000011
【図１０】
2014006738.tif 000012
【図１１】
2014006738.tif 000013
【図１２】
2014006738.tif 000014